(57)【要約】【課題】  定重量パックおよび通常のパック卵を並行して生産する場合において、需要の高いＭサイズやＬサイズの卵を、定重量パックにも通常のパックにもより計画的に収容させることができる卵の選別集合装置を提供する。【解決手段】  卵の選別集合装置Ｔの演算制御手段６には、それぞれの重量範囲の卵Ｅに対して組み合わせ演算の実行または停止を所定のタイミングで切り換える切り換え設定器６ａが備えられている。前記所定のタイミングは、例えば卵Ｅのカウント個数である。【選択図】      図１
0003118194.tif 000002
【実用新案登録請求の範囲】
【請求項１】
供給される卵の重量を計量する計量手段と、
計量済みの卵を搬送し、所定の集合場所に分配搬送する分配搬送手段と、
前記計量手段により計量された卵の重量データを順次記憶するとともに、計量後の卵が前記搬送手段にて搬送される間に卵の重量データに基づいて、所定個数の卵の総重量が、予め設定された目標重量の範囲となる卵の組み合わせ演算を実施する演算制御手段と、
前記組み合わせ演算により、選択された卵を所定の集合場所に集合させる一の集合手段と、
前記組み合わせ演算により、選択されなかった卵を重量区分毎に集合させる他の集合手段とから構成された卵の選別集合装置において、
前記演算制御手段は、組み合わせ演算の実行または停止を所定のタイミングで切り換える切り換え設定器を備えているとともに、前記組み合わせ演算を停止している間は、該演算制御手段の制御により、計量済みの卵を前記重量区分毎に集合させる他の集合手段に集合させることを特徴する卵の選別集合装置。
【請求項２】
前記所定のタイミングとは、卵のカウント個数あるいは前記卵の選別集合装置の稼働時間であることを特徴とする請求項１に記載の卵の選別集合装置。
【請求項３】
前記卵のカウント個数は、前記一の集合手段に集められた卵の個数、あるいは、前記他の集合手段に集められた一の重量区分の卵の個数であることを特徴とする請求項２に記載の卵の選別集合装置。
【請求項４】
前記卵のカウント個数は、一の集合手段に集められた卵のうち、所定の重量区分の卵の個数であることを特徴とする請求項３に記載の卵の選別集合装置。
【請求項５】
前記卵のカウント個数は、組み合わせ演算の対象となる卵の個数であることを特徴請求項２に記載の卵の選別集合装置。
【考案の詳細な説明】
【技術分野】
【０００１】
本考案は、１個当たりの重量が所定の範囲内にある卵を用いて、所定個数で一包装単位の重量が予め設定された目標重量の範囲となるように組み合わせを行ない、組み合わせの条件を満足する卵を所定の包装ラインに集合させて定重量パックを生産する卵の選別集合装置に関するものである。
【背景技術】
【０００２】
従来、１個当たりの重量が所定の範囲内（５２ｇ以上７６ｇ未満）にある卵を用いて、所定個数で１パック当たりの重量が予め定められた目標重量範囲内となるように卵の組み合わせ演算を実施し、組み合わせ演算により選択された卵を所定の包装ラインに集合させて「定重量パック」を生産し、前記組み合わせ演算により選択されなかった卵を重量区分毎に区画された他の包装ラインに集合させて同一サイズの卵が所定個数詰められているパック卵を生産する卵の選別集合装置が公知である（例えば、特許文献１および特許文献２参照。）。
【０００３】
【特許文献１】特公平７−２３１４２号公報（第３―９頁、第３−４図）
【特許文献２】特許第２７５８５７５号公報（第２−８頁（請求項３）、第８図）
【考案の開示】
【考案が解決しようとする課題】
【０００４】
前記卵の選別集合装置には、通常、組み合わせ演算を実施する際に、所望する重量範囲の卵を組み合わせ演算の候補から除外する「除外卵重」を設定する機能が備えられている。
【０００５】
例えば、前記「除外卵重」を５８ｇ以上６４ｇ未満（Ｍサイズ）と設定し、１０個入りで６１０ｇ以上の定重量パックを生産しようとすると、前記５８ｇ以上６４ｇ未満（Ｍサイズ）の卵は、前記組み合わせ演算の候補から除外されるので、定重量用の包装ラインに集合することなく通常のＭサイズ用の包装ラインに集合する。
【０００６】
したがって、定重量パックを生産しながら、通常のＭサイズのパック卵も生産することが可能である。
【０００７】
しかしながら、前述のように除外卵重の設定範囲を広く設定すると、前述の定重量パックの中に５８ｇ以上６４ｇ未満（Ｍサイズ）の卵が１つも収容されないという事態が生じてしまう。
【０００８】
しかも、この定重量パックは、比較的小さいＭＳサイズの卵と比較的大きいＬＬサイズの卵等とで構成され、中間サイズの卵（Ｍサイズ）の存在しない商品となるので、外観的にもバランスが悪く、消費者から敬遠されてしまうという問題があった。
【０００９】
このような事態を回避するには、前記除外卵重の設定範囲を例えば、５８ｇ以上６１ｇ未満というように狭く設定すれば、通常のＭサイズのパック卵にも、前記定重量パックにもＭサイズの卵を収容させることができる。
【００１０】
しかしながら、前記除外卵重の設定範囲を狭く設定すると、定重量パックは、６１ｇ以上６４ｇ未満の比較的重いＭサイズの卵が混合された商品となり、通常のＭサイズのパック卵は、５８ｇ以上６１ｇ未満の比較的軽いＭサイズの卵が収容された商品となってしまう。
【００１１】
一般的に、消費者の心理は、同一サイズのパック卵でも重量の重い商品の方が買い得と感じることが通常であるので、前記５８ｇ以上６１ｇ未満の比較的小さいＭサイズの卵が収容された商品は消費者から敬遠されてしまうという問題があった。
【００１２】
他方、スーパーマーケット等においては、Ｍサイズのパック卵やＬサイズのパック卵は需要が高く、ＭＳサイズのパック卵やＬＬサイズのパック卵は需要が低いため、前記定重量パックの中にはＭＳサイズの卵やＬＬサイズの卵を多く混合し、ＭサイズやＬサイズの卵を少なく混合して出荷したいという生産者からの要請がある。
【００１３】
しかしながら、従来の卵の選別集合装置における除外卵重の設定では、これまで説明したように、消費者からの要請並びに生産者からの要請に十分応えることができなかった。
【００１４】
したがって、本考案は、前記問題点を解決することを課題としてなされたものであり、その目的とするところは、定重量パックおよび通常のパック卵を並行して生産する場合において、需要の高いＭサイズやＬサイズの卵を、定重量パックにも通常のパックにもより計画的に収容させることができる卵の選別集合装置を提供することにある。
【課題を解決するための手段】
【００１５】
前記課題を解決するために、請求項１に記載の卵の選別集合装置における考案では、供給される卵の重量を計量する計量手段と、計量済みの卵を搬送し、所定の集合場所に分配搬送する分配搬送手段と、前記計量手段により計量された卵の重量データを順次記憶するとともに、計量後の卵が前記搬送手段にて搬送される間に卵の重量データに基づいて、所定個数の卵の総重量が、予め設定された目標重量の範囲となる卵の組み合わせ演算を実施する演算制御手段と、前記組み合わせ演算により、選択された卵を所定の集合場所に集合させる一の集合手段と、前記組み合わせ演算により、選択されなかった卵を重量区分毎に集合させる他の集合手段とから構成された卵の選別集合装置において、前記演算制御手段は、組み合わせ演算の実行または停止を所定のタイミングで切り換える切り換え設定器を備えているとともに、前記組み合わせ演算を停止している間は、該演算制御手段の制御により、計量済みの卵を前記重量区分毎に集合させる他の集合手段に集合させることを特徴としたものである。
【００１６】
請求項２に記載の卵の選別集合装置における考案では、請求項１に記載の考案において、前記所定のタイミングとは、卵のカウント個数あるいは前記卵の選別集合装置の稼働時間であることを特徴としたものである。
【００１７】
請求項３に記載の卵の選別集合装置における考案では、請求項２に記載の考案において、前記卵のカウント個数は、前記一の集合手段に集められた卵の個数、あるいは、前記他の集合手段に集められた一の重量区分の卵の個数であることを特徴としたものである。
【００１８】
請求項４に記載の卵の選別集合装置における考案では、請求項３に記載の考案において、前記卵のカウント個数は、一の集合手段に集められた卵のうち、所定の重量区分の卵の個数であることを特徴としたものである。
【００１９】
請求項５に記載の卵の選別集合装置における考案では、請求項２に記載の考案において、前記卵のカウント個数は、組み合わせ演算の対象となる卵の個数であることを特徴としたものである。
【考案の効果】
【００２０】
本考案にかかる卵の選別集合装置は、演算制御手段には組み合わせ演算の実行または停止を所定のタイミングで切り換える切り換え設定器が備えられている。その結果、前記組み合わせ演算を停止している間は、該演算制御手段の制御により、計量済みの卵を重量区分毎に集合させる他の集合手段に集合させる構成となっている。
【００２１】
したがって、定重量パックおよび通常のパック卵を並行して生産する場合において、需要の高いＭサイズやＬサイズの卵を、定重量パックにも通常のパックにもより計画的に収容させることができ、効率的な処理が可能となる。これにより、消費者からの要請並びに生産者の要請の両方に応えることができる。
【考案を実施するための最良の形態】
【００２２】
つぎに、本考案にかかる卵の選別集合装置の実施形態を添付図面に従って説明する。図１は、本考案にかかる卵の選別集合装置Ｔを説明する概略平面図である。
【実施例１】
【００２３】
図１に示すように、この卵の選別集合装置Ｔは、大略、卵Ｅを例えば、６列の複列状態でＹ方向に搬送する給卵コンベア１と、給卵コンベア１から供給された卵Ｅを単列の分配コンベア３に移し替える移載機構２と、給卵コンベア１から受け取った卵Ｅを単列状態でＸ方向に搬送する分配コンベア３と、分配コンベア３にて搬送される卵Ｅを選別放出する選別放出手段４ａ〜４ｅと、選別放出手段４ａ〜４ｅにて選別放出された卵Ｅをグレード毎に集合させる集合区画５ａ〜５ｅとから構成されている。
【００２４】
また、前記卵の選別集合装置Ｔには、主にＣＰＵ、記憶装置等からなるハードウェア部分と卵の選別集合装置Ｔの作動プログラム等からなるソフトウェア部分とで構成され、各部の作動や制御等を行なう演算制御手段６が備えられている。
【００２５】
給卵コンベア１の排出端には、個々の卵Ｅの重量を計量する計量器１ａが備えられており、該計量器１ａにて計量された各卵Ｅの重量データが演算制御手段６に出力される構成となっている。
【００２６】
前記分配コンベア３は、該分配コンベア３を駆動させる駆動機構（図示せず）と、該分配コンベア３の駆動に連動してパルス信号を出力するエンコーダ３ａとが備えられており、前記エンコーダ３ａから出力されるパルス信号が演算制御手段６に出力される構成となっている。
【００２７】
前記集合区画５ａ〜５ｅは、分配コンベア３と直交して配置されており、このうち集合区画５ａ〜５ｄは、卵Ｅを農林水産省取引規格に基づくグレード毎（ＭＳサイズ〜ＬＬサイズ）に集合させる規格卵用の包装ラインであり、集合区画５ｅは、定重量用として選択された卵Ｅの包装ラインである。
【００２８】
また、前記各集合区画５ａ〜５ｅには、容器コンベア（図示せず）が備えられており、この容器コンベアの駆動により例えば、卵Ｅを１０個収容できるパックＰをＹ方向にタクト搬送させる構成となっている。
【００２９】
前記演算制御手段６は、前記エンコーダ３ａから出力されてくるパルス信号に基づいて計量器１ａで計量された各卵Ｅをいずれの集合区画に選別放出させるかの制御を実施する構成となっている。
【００３０】
また、演算制御手段６には、一包装単位の総重量を所定の重量範囲にするための重量設定器（図示せず）が備えられており、この重量設定器に所望の数値を設定して卵の選別集合装置Ｔを稼動させると、演算制御手段６は次のような制御を実施する。
【００３１】
すなわち、計量器１ａから出力されてくる各卵Ｅの重量データを順次記憶し、計量後の卵Ｅが分配コンベア３にて搬送される間に各卵Ｅの重量に基づいて、所定個数で目標重量を満足する卵の組み合わせ演算を実施し、組み合わせ演算の結果、定重量用として選択された卵Ｅ（組み合わせの条件を満たす卵Ｅ）を選別放出手段４ｅにより集合区画５ｅに選別放出するよう制御する。
【００３２】
また、前記演算制御手段６は、組み合わせ演算の結果、定重量用として選択されなかった卵Ｅ（組み合わせの条件を満たさなかった卵Ｅ）について、５２ｇ以上５８ｇ未満（ＭＳサイズ）の卵Ｅを選別放出手段４ａにより集合区画５ａに選別放出し、５８ｇ以上６４ｇ未満（Ｍサイズ）の卵Ｅを選別放出手段４ｂにより集合区画５ｂに選別放出し、６４ｇ以上７０ｇ未満（Ｌサイズ）の卵Ｅを選別放出手段４ｃにより集合区画５ｃに選別放出し、７０ｇ以上７６ｇ未満（ＬＬサイズ）の卵Ｅを選別放出手段４ｄにより集合区画５ｄに選別放出するよう制御する。
【００３３】
図１に示すように、前記演算制御手段６には、さらに、それぞれの重量範囲の卵Ｅに対して組み合わせ演算の実行、または、停止を所定のタイミングで切り換える切り換え設定器６ａが備えられている。
【００３４】
この切り換え設定器６ａについて、例えば、５８ｇ以上６４ｇ未満（Ｍサイズ）の卵Ｅを例に挙げて具体的に説明する。なお、本実施例では、前記所定のタイミングを組み合わせ演算の対象となる卵Ｅの個数で説明する。
【００３５】
先ず、切り換え設定器６ａに前記卵Ｅのカウント個数を次のように設定する。組み合わせ演算を実行する卵Ｅを、搬送されてきた１個目から３００個目のＭサイズの卵Ｅ並びに６０１個目から９００個目のＭサイズの卵Ｅと設定する。
【００３６】
この設定により、３０１個目から６００個目のＭサイズの卵Ｅ並びに９０１個目から１２００個目のＭサイズの卵Ｅについては、組み合わせ演算の対象から外れることになる。
【００３７】
前記切り換え設定器６ａに前記カウント個数を設定して卵の選別集合装置Ｔを稼動させると、演算制御手段６により次のような制御が実施される。すなわち、５８ｇ以上６４ｇ未満（Ｍサイズ）の卵Ｅについて、搬送されてきた１個目から３００個目の卵Ｅ並びに６０１個目から９００個目の卵Ｅは、組み合わせ演算の対象となるので、所定個数で１パック当たりの重量が予め定められた目標重量を満足する卵Ｅの組み合わせ演算が実施される。
【００３８】
組み合わせ演算により、１個目から３００個目並びに６０１個目から９００個目のＭサイズの卵Ｅのうち、定重量用として選択されたＭサイズの卵Ｅ（組み合わせの条件を満たすＭサイズの卵Ｅ）は、定重量用の包装ラインである集合区画５ｅに選別放出され、定重量用として選択されなかったＭサイズの卵Ｅ（組み合わせの条件を満たさなかったＭサイズの卵Ｅ）は、通常のＭサイズの包装ラインである集合区画５ｂに選別放出される。
【００３９】
次に、３０１個目から６００個目のＭサイズの卵Ｅ並びに９０１個目から１２００個目のＭサイズの卵Ｅについては、組み合わせ演算の対象外となるので、定重量用の包装ライン（集合区画５ｅ）に選別放出されることなく通常のＭサイズ用の包装ライン（集合区画５ｂ）に選別放出される。
【００４０】
このような構成とすれば、従来の卵の選別集合装置の課題であった定重量パックおよび通常のパック卵を並行して生産する場合において、需要の高いＭサイズやＬサイズの卵を、定重量パックにも通常のパックにもより計画的に収容させることができるので、効率的な処理が可能となる。
【００４１】
本実施例では、組み合わせ演算の対象とする卵Ｅの個数と、組み合わせ演算の対象としない卵Ｅの個数とが同数となった例を説明したが、本実施例に限定するものではなく、例えば、組み合わせ演算を実行する卵Ｅを、搬送されてきた１個目から２００個目のＭサイズの卵Ｅ並びに５０１個目から７００個目のＭサイズの卵Ｅと設定してもよい。
【００４２】
また、組み合わせ演算の実行、または、停止のタイミングを、前記卵Ｅのカウント個数に代えて卵の選別集合装置Ｔの稼働時間であってもよい。この場合、例えば、計量器１ａにて最初の卵Ｅが計量されてから１０分までは組み合わせ演算の対象とし、１０分から２０分までは組み合わせ演算の対象外として切り換え設定器６ａに前記稼働時間を設定してもよい。
【実施例２】
【００４３】
つぎに、本考案にかかる卵の選別集合装置（卵の選別集合装置Ｔ）の第２実施形態を説明する。なお、前述の第１実施形態と同一構成部分については説明を省略する。
【００４４】
本実施例では、組み合わせ演算の実行、または、停止のタイミングを、定重量用の包装ラインである集合区画５ｅに集められた５８ｇ以上６４ｇ未満（Ｍサイズ）の卵Ｅの個数と、通常のＭサイズの包装ラインである集合区画５ｂに集められた５８ｇ以上６４ｇ未満（Ｍサイズ）の卵Ｅの個数とを用いる例を説明する。
【００４５】
先ず、切り換え設定器６ａに前記卵Ｅのカウント個数を次のように設定する。
（ａ）定重量用の包装ラインである集合区画５ｅに集められる５８ｇ以上６４ｇ未満（Ｍサイズ）の卵Ｅの個数が例えば、１０個に到達するまで組み合わせ演算を実行する。
（ｂ）定重量用の包装ラインである集合区画５ｅに集められる５８ｇ以上６４ｇ未満（Ｍサイズ）の卵Ｅの個数が１０個に到達すると、組み合わせ演算を停止する。
（ｃ）通常のＭサイズの包装ラインである集合区画５ｂに集められる５８ｇ以上６４ｇ未満（Ｍサイズ）の卵Ｅの個数が例えば、２０個に到達するまで組み合わせ演算の停止状態を保持する。
（ｄ）通常のＭサイズの包装ラインである集合区画５ｂに集められる５８ｇ以上６４ｇ未満（Ｍサイズ）の卵Ｅの個数が２０個に到達すると、組み合わせ演算を再び実行する。
【００４６】
前記切り換え設定器６ａに設定する卵Ｅのカウント個数について、よりきめ細かな処理を行なうならば、例えば、卵定重量用の包装ラインに集められた５８ｇ以上６４ｇ未満（Ｍサイズ）の卵Ｅの個数を１個と設定し、通常の包装ラインに集められた５８ｇ以上６４ｇ未満（Ｍサイズ）の卵Ｅの個数を２個と設定してもよい。
【００４７】
また、例えば、卵定重量用の包装ラインに集められた５８ｇ以上６４ｇ未満（Ｍサイズ）の卵Ｅの個数を１００個と設定し、通常の包装ラインに集められた５８ｇ以上６４ｇ未満（Ｍサイズ）の卵Ｅの個数を２００個と設定してもよく、これらは適宜変更可能である。
【００４８】
なお、前記切り換え設定器６ａを前述のように設定することによる卵の選別集合装置Ｔの作動説明は省略する。
【００４９】
このような構成により、第１実施例と同様に、従来の卵の選別集合装置の課題であった定重量パックおよび通常のパック卵を並行して生産する場合において、需要の高いＭサイズやＬサイズの卵を、定重量パックにも通常のパックにもより計画的に収容させることができることに加え、これらの処理をよりきめ細かに行なうことが可能となる。
【００５０】
本実施例では、定重量用の包装ラインに集められた所定サイズの卵Ｅの個数、すなわち、定重量用として選択された卵Ｅのうち、所定サイズの卵Ｅに着目した例を説明したが、本実施例に限定するものではなく、例えば、定重量用として選択された一包装単位の卵Ｅの個数であってもよい。
【００５１】
本明細書では、卵の選別集合装置Ｔの形態について、卵Ｅを分配コンベア３からパックＰに直接放出する形態で説明したが、これに限らず、例えば、本出願人が特開２００２-２５５１１１号公報で提案している卵の選別集合装置の形態であってもよい。
【図面の簡単な説明】
【００５２】
【図１】本考案にかかる卵の選別包装装置Ｔを説明する概略平面図である。
【符号の説明】
【００５３】
１  給卵コンベア、２  移載機構、３  分配コンベア、４ａ〜４ｅ  選別放出手段、５ａ〜５ｅ  集合区画、６  演算制御手段、Ｅ  卵、Ｔ  卵の選別集合装置
【図１】
0003118194.tif 000003